(57)【特許請求の範囲】
【請求項１】
前面を有するハウジングを含む医療測定装置と、
前記前面の少なくとも一部の領域の上に取外し可能に受け入られ、前記医療測定装置の前記ハウジングを修正する面板表面を含む面板と、
前記医療測定装置の前記前面に取外し可能に取り付けるための取付け部材を有するカバーと、
を含み、
前記面板が、前記カバーと前記医療測定装置の前記前面の間に配置され、
前記カバーが、前記カバーを通して前記面板表面が見えるようにするための開口を画定する、
医療測定装置システム。
【請求項２】
前記医療測定装置が、試料を受け入れるように構成されたスロットを含み、前記スロットに受け入れた前記試料の測定を行ない、
前記面板表面が、前記医療測定装置の前記スロットを覆わず、前記前面の少なくとも一部を覆う、請求項１記載の医療測定装置システム。
【請求項３】
前記医療測定装置が、前記試料のグルコース濃度を測定するグルコース計である、請求項２に記載の医療測定装置システム。
【請求項４】
前記面板が、前記前面の他の領域を見るための開口を含む、請求項１から３の何れか１項記載の医療測定装置システム。
【請求項５】
前記前面が情報を見せるための画面を含み、前記面板の前記開口により前記画面が見えるようにする、請求項４記載の医療測定装置システム。
【請求項６】
前記前面表面が、前記医療測定装置の使用または識別に関する情報を提供する、請求項１から５の何れか１項記載の医療測定装置システム。
【請求項７】
前記面板が、前記医療測定装置の前記前面の少なくとも一部の領域の上に取外し可能に受け入られる複数の面板の１つであり、前記複数の面板が異なる面板表面を提供する、請求項１から６の何れか１項記載の医療測定装置システム。
【請求項８】
前記面板が、前記医療測定装置の前記前面と異なる色を有する、請求項１から７の何れか１項記載の医療測定装置システム。
【発明の詳細な説明】
【技術分野】
【０００１】
本発明は、医療測定装置（グルコース計）のカバーに関する。より具体的には、本発明は、取外し可能にグルコース計に取り付けることができるカバーに関する。
【背景技術】
【０００２】
血中グルコース計は、使用者の血中グルコース濃度を計測するために使用される。一般に、血中グルコース計を作動させるためには、使用者が血液の滴を使い捨てカートリッジ又はパッドに付着させる。そして、血滴が付着した使い捨てカートリッジを血中グルコース計に付着されたスロットに挿入すると、血中グルコース計が使い捨てカートリッジに設けられた血液を試験して、血中グルコース濃度を測定する。多くの血中グルコース計は、血中グルコース濃度を測定すると、この情報を他の情報とともに血中グルコース計に設けられた画面上に表示する。
【０００３】
多くの血中グルコース計は、プラスチックのような剛性材料から製造されたケース又はハウジングを有する自己完備型の装置である。プラスチックは、傷がつきやすく、床に落としたときのように血中グルコース計が衝撃を受け入れると、ひびが入ったり割れたりするおそれがある。さらには、一部の血中グルコース計は、情報を表示するための画面を収容している。情報を表示するための画面は非常に壊れやすく、したがって、グルコース計又は画面そのものが衝撃を受け入れるならば簡単に損傷してしまう。そのうえ、しばしば血中グルコース計の表面は比較的滑らかであり、使用者が血中グルコース計を効果的に把持することを許す造作や手段に欠けている。使用者が血中グルコース計を効果的に把持することができないならば、使用者は、血中グルコース計を取り落し、血中グルコース計が衝撃を受け、損傷するかもしれない。
【０００４】
血中グルコース計は、くすんだ、通常は目立たない色を使用して製造されるときもある。くすんだ色は目立たず、血中グルコース計が紛失されるならば、それを容易に捜し出すことが出来ない。さらには、一部の血中グルコース計は、その表面にほとんど又はまったく情報を有しない。血中グルコース計がその表面にほとんど又はまったく情報を有しないならば、血中グルコース計は、貴重な情報、たとえば使用者の氏名、血中グルコース計の取り扱い説明、又はその血中グルコース計を識別するために使用することができるデザインもしくはパターンさえも欠くかもしれない。
【発明の概要】
【発明が解決しようとする課題】
【０００５】
したがって、血中グルコース計が衝撃を受けたとき血中グルコース計を破損から保護することができ、貴重な情報、たとえば使用者の氏名、血中グルコース計の取り扱い説明、又はその血中グルコース計を識別するために使用することができるデザインもしくはパターンを提供することができる、使用者が血中グルコース計を把持するためのさらなる把持手段を提供することができる装置に対する需要がある。
【課題を解決するための手段】
【０００６】
本発明の第一の態様にしたがって、グルコース計を覆うための装置が提供される。グルコース計は、後面に対向する前面と、前面を後面に結合するエッジ面とを有する。装置は、グルコース計を受け入れるように適合されているフレームと、フレームと結合された少なくとも一つの取付け部材とを含む。フレームは、エッジ面の大部分（実質部分）を包囲し、グルコース計の前面の少なくとも一部を見るための開口を形成するように適合されている。取付け部材は、取外し可能にフレームをグルコース計に取り付けるように適合されている。
【０００７】
本発明のもう一つの態様にしたがって、グルコース計を覆うための装置が提供される。グルコース計は、後面に対向する前面と、前面を後面に結合するエッジ面とを有し、その前面は、情報を見せるための画面を含む。装置は、グルコース計を受け入れるように適合されているフレームと、フレームと結合された少なくとも一つの取付け部材とを含む。フレームは、グルコース計の前面の大部分及び後面の小部分を覆うように適合されている。取付け部材は、取外し可能にフレームをグルコース計と結合するように適合されている。
【０００８】
本発明のもう一つの態様にしたがって、グルコース計が提供される。そのグルコース計は、後面に対向する前面と、前面を後面に結合するエッジ面とを有する。グルコース計は、情報を見せるための前面に設けられた画面と、取外し可能にグルコース計と結合されるカバーとを含む。カバーは、グルコース計を受け入れるように適合されているフレームと、フレームと結合された少なくとも一つの取付け部材とを含む。フレームは、グルコース計のエッジ面の一部を包囲するように適合されている。取付け部材は、取外し可能にフレームをグルコース計と結合するように適合され、取付け部材は、後面の小部分と接触する。
【０００９】
説明を簡単にし、明確にするため、図に示す要素は必ずしも縮尺どおりに描かれていない。たとえば、明確に示すため、一部の要素の寸法は互いに対して誇張されている。さらには、適当と考えられる場合には、同じ参照番号が異なる図の間で対応する要素を示すために繰り返し使用されている。
【図面の簡単な説明】
【００１０】
【図１】一つの実施態様の、グルコース計に取り付けられた取外し可能なカバーの斜視図である。
【図２】一つの実施態様の、取外し可能なカバー及びグルコース計の分解斜視図である。
【図３】一つの実施態様の、グルコース計に取り付けられた取外し可能なカバーの正面図である。
【図４】一つの実施態様の、図３の取外し可能なカバーの後面図である。
【図５】一つの実施態様の、図３のグルコース計に取り付けられた取外し可能なカバーの側断面図である。
【図６】一つの実施態様の、グルコース計に取り付けられた取外し可能なカバーの斜視図である。
【図７】一つの実施態様の、取外し可能なカバー及びグルコース計の分解斜視図である。
【発明を実施するための形態】
【００１１】
図１〜図５は、グルコース計３０を覆うためのカバー２０の一つの実施態様を示す。グルコース計３０は、使用者の血液中のグルコース（ブドウ糖）濃度を測定するために使用することができるいかなる装置であってもよい。好ましくは、グルコース計３０は、使用者が持ち運ぶことができるポータブル血中グルコース計、たとえばBayer社（Territown,  New  York,  United  States  of  America）から市販されている血中グルコース計GLUCOMETER  ELITE  XL（商標）である。ポータブル血中グルコース計は、使用者が持ち歩くことができるような軽さでなければならない。好ましくは、ポータブル血中グルコース計は、重さ２０００g未満であり、より好ましくは重さ５００g未満である。ポータブル血中グルコース計はまた、使用者が持ち歩くことを可能にするほど十分に小さい寸法を有しなければならない。好ましくは、ポータブル血中グルコース計は、図２に示すように、幅Ｗが１０cm未満であり、長さＬが２０cm未満であり、厚さＴが５cm未満である。より好ましくは、ポータブル血中グルコース計は、幅Ｗが７cm未満であり、長さＬが１２cm未満であり、厚さＴが３cm未満である。
【００１２】
グルコース計３０は、図２及び図５に示すように、後面３４に対向する前面３２と、前面３２を後面３４に結合するエッジ面３６とを有する。表面３２は、情報、たとえば使用者の血中グルコース濃度を見せるための画面４８を含む。画面４８は、情報を表示することができる装置、たとえばＣＲＴ、液晶表示画面又は使用者が情報を見ることを可能にするための他の手段を含む。好ましくは、画面４８は液晶表示（ＬＣＤ）画面を含む。理由は、液晶表示画面は、使用者がグルコース計３０を容易に持ち運ぶことができるよう十分に軽くて薄く、通常はコンパクトであるからである。好ましくは、前面３２はまた、グルコース計３０をオンにするための電源ボタン４５を含む。しかし、電源ボタン４５は、グルコース計３０の別の表面、たとえば後面３４又はエッジ面３６に設けてもよい。
【００１３】
前面３２、後面３４及びエッジ面３６が、グルコース計３０のハウジング３１を形成する。好ましくは、ハウジング３１は、剛性材料、鉄、鋼、アルミニウム、チタン及び真鍮のような金属や、プラスチック、たとえばエチレン−酢酸ビニル、アクリル樹脂、たとえばアクリロニトリル−ブタジエン−スチレン及びアクリル樹脂−スチレン−アクリロニトリル、ポリマー、たとえばポリカーボネート、ポリウレタン、ポリエチレン、ポリブチレン、ポリ塩化ビニル、ポリフェニレンオキシド、塩素化ポリ塩化ビニル、ポリアミド及びポリブチレンテレフタレート、炭素繊維、黒鉛ならびに当業者に公知である他の剛性材料を含むが、これらに限定されない。ハウジング３１は、当業者に公知の多くの方法、たとえばダイカスト、機械成形、従来の成形及びブロー成形のいずれかで形成することができる。ハウジング３１は、グルコース計３０の中に設けられた電子部品を格納するための手段として働き、画面４８及び電源ボタン４５のような部品を取り付けるための手段として働く。
【００１４】
カバー２０は、当業者に公知であるいかなる色で着色されてもよい。好ましくは、カバー２０は、くすんだ色に着色されるのではなく、目立ち、グルコース計３０を紛失した場合に使用者がグルコース計３０をより容易に見つけることを可能にする際だった色で着色される。際だった色は、蛍光色、メタリック色、明るい色、たとえば黄、赤、オレンジ、中間色、たとえば青もしくは緑及び濃淡のない黒もしくは濃淡のない白のような色を含む。カバー２０は、フレーム５０と、フレーム５０と結合された少なくとも一つの取付け部材６０とを含む。
【００１５】
フレーム５０は、グルコース計３０を受け入れるように適合されている。好ましくは、フレーム５０は、剛性材料、鉄、鋼、アルミニウム、チタン及び真鍮のような金属や、プラスチック、たとえばエチレン−酢酸ビニル、アクリル樹脂、たとえばアクリロニトリル−ブタジエン−スチレン及びアクリル樹脂−スチレン−アクリロニトリル、ポリマー、たとえばポリカーボネート、ポリウレタン、ポリエチレン、ポリブチレン、ポリ塩化ビニル、ポリフェニレンオキシド、塩素化ポリ塩化ビニル、ポリアミド及びポリブチレンテレフタレート、炭素繊維、黒鉛ならびに当業者に公知である他の剛性材料を含むが、これらに限定されない。一つの実施態様では、フレーム５０は、エッジ面３６の実質部分を包囲するように適合されている。本明細書で使用する「エッジ面３６の実質部分」とは、エッジ面３６の周囲の少なくとも７６％を含む部分である。好ましくは、エッジ面３６の実質部分は、図１及び図２に示すように、エッジ面３６を包囲する周囲の少なくとも９０％を含む部分である。一つの実施態様では、図２及び７に示すように、フレーム５０は、グルコース計３０の前面３２の少なくとも一部を見るための開口５２を形成する。一つの実施態様では、図１及び図２に示すように、開口５２は、交換可能な面板７０を受け入れるように設計されている。一つの実施態様では、図７に示すように、開口５２は、画面４８の少なくとも一部、好ましくは画面４８全体を見るための窓５４を形成する。
【００１６】
一つの実施態様では、フレーム５０は、グルコース計３０の後面３４の実質部分を覆わない。本明細書で定義する「グルコース計３０の後面３４の実質部分（大部分）」とは、グルコース計３０の後面３４の表面積の少なくとも９０％、より好ましくはグルコース計３０の後面３４の少なくとも５０％を含む部分である。一つの実施態様では、フレーム５０は、グルコース計３０の後面３４の小部分を覆う。本明細書で定義する「後面３４の小部分」とは、後面３４の有効面積の２０％以下を含む部分である。後面３４の大部分（実質部分）を覆わないか、小部分しか覆わないことにより、カバー２０の重量は実質的に小さくなり、したがって、グルコース計３０とカバー２０との組み合わせを相対的に軽くすることができる。そのうえ、フレームが後面３４の実質部分を覆わないか、小部分しか覆わない場合、フレーム５０は、グルコース計３０からより簡単に取り外すことができる。そのうえ、フレーム５０が後面３４の実質部分を覆わないか、小部分しか覆わない場合、使用者は、一つのカバー２０から第二のカバー２０により容易に切り換えることができる。
【００１７】
一つの実施態様では、フレーム５０は、前面３２の実質部分を覆うように適合されている。本明細書で定義する「前面３２の実質部分」とは、前面３２の表面積の少なくとも５０％を含む部分である。
【００１８】
カバー２０はまた、図１及び図６に示すように、フレーム５０と結合された少なくとも一つの取付け部材６０を含み、取付け部材６０は、取外し可能にフレームをグルコース計３０と結合するように適合されている。取付け部材６０は、一般に、当業者に公知であるいかなるタイプの結合機構、たとえばワニ口クリップ、クランプ、磁石、フック＆ループ型ファスナ（たとえばVELCRO（商標）のストリップ）、スナップ嵌め構造又は物体、たとえばグルコース計３０に取外し可能に結合させることができる他の匹敵しうる結合機構であってもよい。一つの実施態様では、図１及び２に示すように、取付け部材６０は、取外し可能にフレーム５０をグルコース計３０と結合するように適合されているスナップ嵌めクリップ６２である。取付け部材６０は、当業者に公知の多くの方法のいずれか、たとえば溶接、接着、ステープル留め、スナップ嵌め構造、丁番、ナット＆ボルト構造、ねじ又は第一の物体を第二の物体と結合するための当業者に公知の他の手段でフレーム５０と結合される。一つの実施態様では、カバー２０は、フレーム５０と結合された第二の取付け部材６０を含み、第二の取付け部材６０は、図２に示すように、取外し可能にフレーム５０をグルコース計と結合するように適合されている。
【００１９】
一つの実施態様では、図１及び図２に示すように、カバー２０は、取外し可能にフレーム５０と結合され、フレーム５０中の開口５２によって受けられる交換可能な面板７０を含む。この実施態様では、図２に示すように、フレーム５０の開口５２は、交換可能な面板７０を受け入れるように適合されている。交換可能な面板７０は、当業者に公知であるいかなるタイプの結合機構、たとえばワニ口クリップ、クランプ、磁石、フック＆ループ型ファスナ（たとえばVELCRO（商標）のストリップ）、スナップ嵌め構造又は物体、たとえばフレーム５０に取外し可能に結合させることができる他の匹敵しうる結合機構を使用して、取外し可能にフレームと結合される。上記実施態様では交換可能な面板７０は取外し可能にフレーム５０と結合されるが、交換可能な面板７０は、当業者に公知の何らかの手段を使用して固定的にフレーム５０と結合してもよい。操作において、交換可能な面板７０をフレーム５０中の開口５２によって受けたのち、フレーム５０と結合する。そして、図１及び２に示すように、取外し可能に取付け部材６０をグルコース計３０と結合する。好ましくは、交換可能な面板７０は、グルコース計３０の前面３２に設けられた画面４８を見るための窓７２を形成する。
【００２０】
交換可能な面板７０はまた、交換可能な面板７０の表面８４に設けられた情報８２を含むことができる。情報８２は、表面８４に刻印、型押、配置又は符号化することができる、当業者に公知のいかなる情報をも含む。好ましくは、情報８２は、有用な情報、たとえば使用者の氏名、血中グルコース計の取り扱い説明、又はその血中グルコース計３０を識別するために使用することができるデザインもしくはパターンを含む。一つの実施態様では、図６及び７に示すように、交換可能な面板７０はフレーム５０と一体に形成されている。
【００２１】
一つの実施態様では、図１及び図２に示すように、グルコース計３０は、使い捨てカートリッジ４７を受け入れるためのスロット４６を含み、フレーム５０がスロット４６の一部を包囲する。一つの実施態様では、図１及び図２に示すようにスロット４６は、グルコース計３０のエッジ面３６に設けられる。カバー２０のフレーム５０は、スロット４６を覆わないことにより、フレーム５０がグルコース計３０と結合されているときでも使用者が使い捨てカートリッジ４７をスロット４６に挿入することを可能にする。このようにして、使用者は、フレーム５０を取り外すことなく、使用者の血中グルコース濃度の計測値を得ることができる。
【００２２】
一つの実施態様では、図２及び図５に示すように、エッジ面３６は、第二の側面４０に対向する第一の側面３８と、下面４４に対応する上面４２とを含む。この実施態様では、フレーム５０は、第一の側面３８、第二の側面４０、上面４２及び下面４４の少なくとも一部と接触する。一つの実施態様では、フレーム５０は、少なくとも二つの場所、好ましくは少なくとも三つの場所でエッジ面３６と接触する。
【００２３】
一つの実施態様では、カバー２０は、フレーム５０に結合された把持部材８０を含む。把持部材８０は、使用者が物体を把持するのを支援するために使用することができる、当業者に公知であるタイプの装置、たとえば出っ張り、うね、ゴムの出っ張り、ゴムのうね、ゴム部材、接着性材料で覆われた面及び他のそのような装置である。好ましくは、図１〜図４に示すように、把持部材８０はフレーム５０と一体に形成される。カバー２０がグルコース計３０に取付けられると、使用者がグルコース計３０を保持し、把持することを把持部材８０が支援する。
【００２４】
一つの実施態様では、グルコース計３０の使い捨てカートリッジ４７を流通させる方法であって、上記の少なくとも一つのカバー２０を少なくとも一つの使い捨てカートリッジ４７とともに包装することを含む方法が記載されている。カバー２０を使い捨てカートリッジ４７とともに包装することにより、使用者は、グルコース計３０の付属品、たとえばカバー２０及び使い捨てカートリッジ４７をより容易に得ることができる。
【００２５】
このように、本発明にしたがって、上述した利点を十分に提供する、グルコース計を覆う装置を開示した。本発明は、その具体的な実施態様を参照しながら説明し、例示したが、本発明は、そのような例示的な実施態様に限定されることを意図しない。当業者は、本発明の本質を逸することなく変更を加えることができることを認めるであろう。したがって、請求の範囲及びその等価物に該当するそのような変形すべてを本発明に含めることを意図する。
【符号の説明】
【００２６】
２０  カバー
３０  グルコース計
３２  前面
３４  後面
３６  エッジ面
５０  フレーム
６０  取り付け部材
７２  窓
【図１】
0005033838.tif 000002
【図２】
0005033838.tif 000003
【図３】
0005033838.tif 000004
【図４】
0005033838.tif 000005
【図５】
0005033838.tif 000006
【図６】
0005033838.tif 000007
【図７】
0005033838.tif 000008